(57)【要約】【課題】堆積物の除去作業の効率性の向上、機材や除去作業部周辺に対する破損防止。【解決手段】堆積物Ｂを擦り取る際に作用する堆積物Ｂの抵抗により変形するとともに、当該変形により生じる反発力と堆積物Ｂの抵抗の減少による変形からの復帰が行われるようなばね部材２を含む。【選択図】図２
0003125100.tif 000002
【実用新案登録請求の範囲】
【請求項１】
自動走行又は手動走行する作業車に装備され、
先端に作業車の走行により堆積物を擦り取るスクレーパーを、後端に作業車に対して連結する連結部を夫々備えたばね部材を含み、
当該ばね部材は、堆積物を擦り取る際に作用する堆積物の抵抗により変形するとともに、当該変形により生じる反発力と堆積物の抵抗の減少による変形からの復帰が行われるような曲部を有するものであることを特徴とする堆積物除去装置。
【請求項２】
前記曲部が側面視Ｓ状を呈することを特徴とする請求項１に記載の堆積物除去装置。
【請求項３】
前記曲部が側面視Ｃ状を呈することを特徴とする請求項１に記載の堆積物除去装置。
【請求項４】
前記連結部に、ばね部材の変形力を吸収する弾性力を有する弾性部材を配設していることを特徴とする請求項１乃至請求項３いずれか１項に記載の堆積物除去装置。
【考案の詳細な説明】
【技術分野】
【０００１】
本考案は、堆積物除去装置に関し、詳しくは、例えば、路面と縁石や建造物等との境となる角部付近に生える草及び泥やごみ等でなる堆積物を除去する堆積物除去装置に関する。
【背景技術】
【０００２】
従来、路面と縁石や建造物等との境となる角部付近に生える草及び泥やごみ等でなる堆積物を除去する方法として、作業者がスコップや鎌等を用いて除去する方法や、作業者が草刈機等を操作して堆積物を除去する方法等の人手による除去方法、あるいは、回転ブラシを備えた道路清掃車を運転して堆積物を除去する方法等がある。
【考案の開示】
【考案が解決しようとする課題】
【０００３】
ところで、前記人手による除去方法においては、人数も時間も要するため非効率的である。
又、草苅機を用いた場合、草苅機のカッターの回転によって堆積物が飛び散ってしまい、飛び散った堆積物を回収する作業を要する。
又、草苅機のカッターが縁石や建造物等に接触して破損したり、縁石や建造物を傷付けたりするようなことがあった。
又、前記道路清掃車を運転して堆積物を除去する場合も、回転ブラシによって堆積物や堆積物に含まれる砂利等が飛び散ってしまい、草刈機同様に飛び散った堆積物を回収する作業を要する。
すなわち、現在では、堆積物の除去作業について、その作業の効率性の向上、機材や除去作業周辺に対する破損防止という点で改良が望まれていた。
尚、本考案に関連する先行技術文献情報に関しては、本出願人の知り得る範囲において存在しない。
【０００４】
そこで本考案は、堆積物の除去作業の効率性の向上、機材や除去作業周辺に対する破損防止を課題とし、この課題を解決した堆積物除去装置の提供を目的とする。
【課題を解決するための手段】
【０００５】
前記目的を達成するために本考案が採用した技術的手段は、自動走行又は手動走行する作業車に装備され、
先端に作業車の走行により堆積物を擦り取るスクレーパーを、後端に作業車に対して連結する連結部を夫々備えたばね部材を含み、
当該ばね部材は、堆積物を擦り取る際に作用する堆積物の抵抗により変形するとともに、当該変形により生じる反発力と堆積物の抵抗の減少による変形からの復帰が行われるような曲部を有するものであることを特徴とする堆積物除去装置にしたことである。
【０００６】
本考案でいう自動走行する作業車とは、作業者が乗車し運転操作をする自動車タイプのものを意味し、手動走行する作業車とは、作業者が手押しにより走行する手押し車タイプのものを意味する。
【０００７】
前記曲部は、前記したように、堆積物の抵抗により変形するとともに、当該変形により生じる反発力と堆積物の抵抗の減少による変形からの復帰が行われる形態であればよく、その形態として、例えば、側面視Ｓ状や側面視Ｃ状とする形態が挙げられる。
【０００８】
又、前記ばね部材に対する過剰負荷による破損防止や、当該ばね部材が縁石や建造物等に接触することによるばね部材自身の破損や、縁石や建造物に対する傷付けを抑制するという観点から、前記連結部に、ばね部材の変形力を吸収する弾性力を有する弾性部材を配設するとよい。
前記弾性部材の具体例として、例えば、スプリング材、ゴム材、スポンジ材等が挙げられる。
【考案の効果】
【０００９】
本考案の堆積物除去装置によれば、堆積物の除去作業の効率性の向上、機材や除去作業部周辺に対する破損防止ができる。
【考案を実施するための最良の形態】
【００１０】
以下、本考案の堆積物除去装置を実施するための最良の形態を図面に基づいて説明する。
本形態で例示する堆積物除去装置１は、図１及び図２に示すように、自動車タイプの作業車Ａに装備され、側面視Ｓ状を呈するばね部材２を備えているものである。
【００１１】
本形態の堆積物除去装置１は、図３に示すように、前記ばね部材２の先端に堆積物Ｂを擦り取るスクレーパー３が装備され、後端が連結部４を介して前記作業車Ａの側面に装着されている。
前記ばね部材２は、金属材を前記したように側面視Ｓ状に曲げ形成したものであり、上下２個の曲部２１,２２を有し、当該曲部２１，２２において、堆積物Ｂを除去する際に作用する抵抗により変形するとともに、当該変形により生じる反発力により変形からの復帰が行われるようにしている。
【００１２】
前記ばね部材２の具体的な変形・復帰動作を説明すると、図４に示すように、前記作業車Ａを前進させてスクレーパー３で堆積物Ｂを除去する際、当該堆積物Ｂによる抵抗がスクレーパー３に作用するとともに、当該スクレーパー３を介してばね部材２に作用する。
前記ばね部材２に前記抵抗が作用すると、この抵抗を吸収するように前記曲部２１，２２が後方へ変形し、この変形した曲部２１，２２に、変形前の形状に復帰しようとする反発力が生じる。
そして、前記反発力が前記堆積物Ｂによる抵抗を上回った際、又は、前記抵抗が減少した際に、前記曲部２１，２２が変形から復帰する。
又、前記ばね部材２には、作業車Ａを前進させてスクレーパー３で堆積物Ｂを除去する際、当該スクレーパー２が路面のアンジュレーションＢ１を乗り越えることにより上方への力が作用する。
前記ばね部材２に、前記上方向への力が作用すると、この力を吸収するように前記曲部２１,２２が上下方向に縮むように変形し、この変形した曲部２１，２２に、変形前の形状に復帰しようとする反発力が生じる。
そして、前記スクレーパー２が路面のアンジュレーションＢ１を乗り越えると、前記反発力によって前記曲部２１，２２が変形から復帰する。
【００１３】
前記スクレーパー３は、金属材を用いて形成された板状のものであり、前記ばね部材２の先端上面部に、溶接により固着、あるいは、ボルト・ナット（図示せず）のような周知の連結構造により着脱可能に取付けられている。
尚、前記スクレーパーがばね部材に対して着脱可能な構造である場合には、スクレーパーの磨耗や破損時において交換できるという効果を得られる。
【００１４】
前記連結部４は、図１乃至図３に示すように、前記ばね部材２の後端部を支持する支持杆４１と、作業車Ａに固定される固定杆４２と、これら支持杆４１と固定杆４２を繋ぐように配設された弾性部材であるコイルスプリング４３とから構成されている。
前記支持杆４１は、前記ばね部材２の後端部を上下から挟持するように支持している。
前記固定杆４２は、作業車Ａの側面に対してボルト・ナット（図示せず）のような周知の連結構造により着脱可能に取付けられている。
コイルスプリング４３は、図５に示すように、前記ばね部材２に作用する前記堆積物Ｂの抵抗や、スクレーパー２が路面の大きなアンジュレーションＢ２を乗り越えることによる上方への力が作用した際に、当該抵抗及び力がばね部材２を介してコイルスプリング４３に作用することによって変形し、ばね部材２の変形からの復帰に伴って復帰するようになっている。
又、コイルスプリング４３は、図６に示すように、作業車Ａを前進させて前記堆積物Ｂを除去する作業中に、前記ばね部材２が側面から縁石Ｃに接触した場合、当該ばね部材２を介して連結部４に対してその長手方向（堆積物の除去方向と直交する方向）に力が作用した際に、収縮することによりその力を吸収して、ばね部材２に対する衝撃を緩和するようにしている。
すなわち、前記コイルスプリング４３は、ばね部材２に対して作用する抵抗や力、更には衝撃を吸収するので、ばね部材２に過剰な負荷や衝撃が作用しても、ばね部材２の破損や縁石Ｃの傷付き等を抑制することができる。
【００１５】
尚、本考案は、例示した実施の形態に限定するものではなく、実用新案登録請求の範囲に記載された内容から逸脱することなく、他の構成による実施も可能である。
例えば、例示した形態のばね部材は、側面視Ｓ状としたものであるが、本考案では、側面視Ｃ状も含む（図示せず）。
【図面の簡単な説明】
【００１６】
【図１】本考案に係る堆積物除去装置を作業車に装備した状態の側面図。
【図２】図1の正面図。
【図３】図1の要部拡大図で、堆積物を除去する状態を示す。
【図４】堆積物除去装置の作用を示す側面図。
【図５】堆積物除去装置の作用を示す側面図。
【図６】堆積物除去装置の作用を示す正面図。
【符号の説明】
【００１７】
１：堆積物除去装置
２：ばね部材
３：スクレーパー
４：連結部
２１：曲部
２２：曲部
４３：コイルスプリング
Ａ：作業車
Ｂ：堆積物Ｂ
Ｃ：縁石
【図１】
0003125100.tif 000003
【図２】
0003125100.tif 000004
【図３】
0003125100.tif 000005
【図４】
0003125100.tif 000006
【図５】
0003125100.tif 000007
【図６】
0003125100.tif 000008